【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
（ａ）コンデンサセンサと、
（ｂ）制御システムと、
を備え、前記制御システムは、適応励起信号（ＡＥＳ）を前記コンデンサセンサに供給し、ＡＥＳは、前記コンデンサセンサが配置される、近接性に基づく速度制御アルゴリズムを有するパワークロージャシステムに応じて構成され、前記コンデンサセンサは、物体が前記検出領域内に存在する場合、検出電圧を前記制御システムへ供給し、前記ＡＥＳは、前記コンデンサセンサの検出領域内に物体が存在しない場合に、前記パワークロージャシステムにおける前記コンデンサセンサから前記制御システムへ閾値電圧を生成するように構成される、非接触物検出システムであって、
前記制御システムは、自動的にＡＥＳを構成する命令を実行するように構成され、前記命令は、閾値電圧が、前記コンデンサセンサのベースライン上限及びベースライン下限内に存在するか否かを判断し、前記パワークロージャシステムに応じて前記ＡＥＳを調節してベースライン上限・下限内となる所望のベースラインプロファイルを達成するためのモジュールを含む、非接触物検出システム。
【請求項２】
前記システムは、センサ特性に影響を与える水に対して耐性を有する、請求項１に記載の非接触物検出システム。
【請求項３】
前記非接触物検出システムは、前記パワークロージャシステムに一体化される、請求項１に記載の非接触物検出システム。
【請求項４】
前記パワークロージャシステムは、物体検出、認識及びクロージャ停止／反転システムを含む、請求項１に記載の非接触物検出システム。
【請求項５】
前記パワークロージャシステムは、接触に基づくアンチピンチシステムを含む、請求項３に記載の非接触物検出システム。
【請求項６】
（ｃ）前記制御システムから第１のクロック信号を受取るように構成され、前記コンデンサセンサと互いに接続されている変調器と、
（ｄ）前記コンデンサセンサから第１の信号を受取り、前記制御システムから第２のクロック信号を受取り、及び前記制御システムから第３のクロック信号を受取って、前記コンデンサセンサからの前記信号を復調するように構成された同期復調器と、
（ｅ）前記同期復調器からの第２の信号を増幅して、物体が前記検出領域内に存在するか否かを示すアナログ出力信号を前記制御システムに供給するように構成された増幅器と、
をさらに備える、請求項１に記載の非接触物検出システム。
【請求項７】
前記コンデンサセンサは、ガードを含み、前記ガードは、前記センサに防水性を付す環境保護コーティングで覆われている、請求項１に記載の非接触物検出システム。
【請求項８】
クロージャ内に配置されたコンデンサセンサの検出領域内の物体を検出するための方法であって、
近接性に基づく速度制御アルゴリズムを有するパワークロージャシステムにおける制御システムから前記コンデンサセンサへ適応励起信号（ＡＥＳ）を供給する工程と、
前記コンデンサセンサが配置される、近接性に基づく速度制御アルゴリズムを有するパワークロージャシステムに応じて、ＡＥＳを構成する工程であって、前記ＡＥＳは、前記コンデンサセンサの検出領域内に物体が存在しない場合に、前記パワークロージャシステムにおける前記コンデンサセンサから前記制御システムへ閾値電圧を生成するように自動的に構成され、
前記コンデンサセンサから生成された検出電圧を感知する工程と、
前記検出電圧と閾値電圧とを比較する工程と、
その比較に基づいて、前記物体が前記検出領域内に存在するか否かを判断する工程と、
を備える方法。
【請求項９】
前記命令は、前記閾値電圧を、前記コンデンサセンサの上側ベースラインと下側ベースラインとの間に設定するためにＡＥＳを調節することを含む、請求項８に記載の方法。
【請求項１０】
前記命令は、前記閾値電圧が前記上側ベースライン以上である場合に、前記ＡＥＳをより低い周波数に調節することを含む、請求項９に記載の方法。
【請求項１１】
前記命令は、前記閾値電圧が前記下側ベースライン以下である場合に、前記ＡＥＳをより高い周波数に調節することを含む、請求項１０に記載の方法。
【請求項１２】
前記命令は、前記上側ベースラインと下側ベースラインとの間に閾値電圧を提供するように前記ＡＥＳを調節することができない場合には、前記コンデンサセンサに不具合があるという命令を提供することを含む、請求項１１に記載の方法。
【手続補正２】
【補正対象書類名】明細書
【補正対象項目名】０００４
【補正方法】変更
【補正の内容】
【０００４】
一実施形態において、非接触物検出システムは、コンデンサセンサと制御システムを含み、該制御システムは、ＡＥＳ（Ａｄａｐｔｉｖｅ  Ｅｘｉｔａｔｉｏｎ  Ｓｉｇｎａｌ：適応励起信号）を該コンデンサセンサに供給し、ＡＥＳは、該コンデンサセンサが配置される環境に応じて構成され、また、ＡＥＳは、該コンデンサセンサの検出領域内に物体が存在しない場合に、該環境における該コンデンサセンサから該制御システムへ閾値電圧を生成するように構成される。随意的には、物体が該検出領域内に存在し、検出電圧が該閾値電圧と異なる場合には、該コンデンサセンサは、該検出電圧を該制御システムへ供給する。ある代替例として、該制御システムは、ＡＥＳを自動的に構成するための命令を有し、該制御システムは、該命令を実行するように構成される。随意的には、該命令は、該閾値電圧が、該コンデンサセンサのベースライン上限及びベースライン下限内にあるか否かを判断するためのモジュールを含む。ある代替例として、該命令は、該閾値電圧を達成するために、該環境に応じてＡＥＳを調節するためのモジュールを含む。いくつかの構成において、該環境とは、車両の電動ドアである。該非接触物検出システムは、該コンデンサセンサと互いに接続され該制御システムから第１のクロック信号を受取るように構成された変調器と、該コンデンサセンサから第１の信号を受取り、該制御システムから第２のクロック信号を受取り、及び該制御システムから第３のクロック信号を受取って、該コンデンサセンサからの該信号を復調するように構成された同期復調器と、該同期復調器からの第２の信号を増幅して、アナログ出力信号を該制御システムに供給するように構成された増幅器とをさらに含むことができる。該アナログ出力信号は、物体が該検出領域内にあるか否かを示す。随意的には、該コンデンサセンサは、ガードを含み、該ガードは、環境保護膜で覆われている。
【手続補正３】
【補正対象書類名】明細書
【補正対象項目名】０００５
【補正方法】変更
【補正の内容】
【０００５】
一実施形態において、車両自動アクセスポータル、又は、クロージャ開口部に配置されたコンデンサセンサの検出領域内の物体を検出する方法は、ＡＥＳを制御システムから該コンデンサセンサへ供給することを含む。該方法は、該コンデンサセンサから生成された検出電圧を感知することをさらに含む。該方法は、該検出電圧を閾値電圧と比較し、その比較に基づいて、該物体が該検出領域内に存在するか否かを判断することとをさらに含む。該方法は、該検出領域内に物体が存在しない場合に、該コンデンサセンサによって生成された電圧である該閾値電圧を、該制御システムにより実行される命令に応じて自動的に構成することをさらに含んでもよい。該命令は、該閾値電圧を、該コンデンサセンサの上側ベースラインと下側ベースラインとの間に設定するために、ＡＥＳを調節することを含んでもよい。該命令は、該閾値電圧が該上側ベースライン以上である場合に、ＡＥＳをより低い周波数に調節することを含んでもよい。また、該命令は、該閾値電圧が該下側ベースライン以下である場合に、ＡＥＳをより高い周波数に調節することを含んでもよい。該命令は、もし、該上側ベースラインと下側ベースラインとの間となるような閾値電圧を供給するようにＡＥＳを調節することができない場合には、該コンデンサセンサに不具合があるという指示を供給することを含んでもよい。
【手続補正４】
【補正対象書類名】明細書
【補正対象項目名】００２７
【補正方法】変更
【補正の内容】
【００２７】
Ｃ０  ６０５−これは、センサ６１０とガード６１５との間の静電容量である。静電容量は、センサ形状に依存し、該センサの寿命中、一定のままである。センサ６１０とガード６１５との間に水分が染み込むと、この静電容量が増加する可能性がある。図１を見て分かるように、ガード６１５及びセンサ６１０は、同じ電位であり、効果的に、センサ６１０とガード６１５との間には、アクティブな静電容量は存在しない。それにより、変調出力信号への影響はとても低くなっている。
【手続補正５】
【補正対象書類名】明細書
【補正対象項目名】００３５
【補正方法】変更
【補正の内容】
【００３５】
図８の下から２本目の線は、該センサからのリアルタイムデータを示す。雨又は水滴が該センサ表面に着くと、センサ電圧が低下する。これは、水と実際の物体との明確な違いである。該センサ表面の前に何らかの物体がある場合、センサ電圧が増加する。図８の雨滴の影響ラインは、該センサ表面に水滴が落下したことによる２つの電圧の落ち込みを示している。そのセンサ制御電子装置は、この電圧の落ち込みを検出し、それに応じて新たな周波数に調整してその雨滴の影響を補正する。周波数の変化は、該センサの利得に依存する。